(57)【要約】【課題】径の異なる種々のコルゲートチューブに対して、長手方向への位置ずれを効果的に防止できるワイヤハーネス用プロテクタを提供する。【解決手段】プロテクタ１３の固定部１４は、第１平面１５に対してコルゲートチューブ１２の長手方向に沿って並設され、コルゲートチューブ１２の外周面の凹部１２ａに嵌り込む一対の第１凸部２１ａ，２１ｂと、第１平面１５に対してコルゲートチューブ１２の長手方向に沿って並設され、コルゲートチューブ１２の外周面の凹部１２ａに嵌り込む一対の第２凸部２２ａ，２２ｂとを備える。そして、一対の第２凸部２２ａ，２２ｂは、一対の第１凸部２１ａ，２１ｂよりも第２平面１７に対して離れて設けられる。また、一対の第２凸部２２ａ，２２ｂ同士の間隔は、一対の第１凸部２１ａ，２１ｂ同士の間隔よりも大きく設定されている。【選択図】図１
2018098908.tif 000002
【特許請求の範囲】
【請求項１】
コルゲートチューブが固定される固定部を備え、
前記固定部は、前記コルゲートチューブの径方向と直交する第１平面と、前記第１平面と交わり、前記コルゲートチューブの径方向と直交する第２平面とを有し、前記第２平面が前記コルゲートチューブと接する状態で、前記第１平面と前記第２平面との間に前記コルゲートチューブが固定されるワイヤハーネス用プロテクタであって、
前記第１平面に対して前記コルゲートチューブの長手方向に沿って並設され、前記コルゲートチューブの外周面の凹部に嵌り込む一対の第１凸部と、
前記第１平面に対して前記コルゲートチューブの長手方向に沿って並設され、前記コルゲートチューブの外周面の凹部に嵌り込む一対の第２凸部と
を備え、
前記一対の第２凸部は、前記一対の第１凸部よりも前記第２平面に対して離れて設けられ、
前記一対の第２凸部同士の間隔は、前記一対の第１凸部同士の間隔よりも大きく設定されていることを特徴とするワイヤハーネス用プロテクタ。
【請求項２】
請求項１に記載のワイヤハーネス用プロテクタを備えたことを特徴とするワイヤハーネス。
【発明の詳細な説明】
【技術分野】
【０００１】
本発明は、ワイヤハーネス用プロテクタ及びワイヤハーネスに関するものである。
【背景技術】
【０００２】
従来、自動車に配索されるワイヤハーネスでは、ワイヤハーネスの保護やワイヤハーネスの配索ラインを規制するなどの目的からプロテクタを設け、該プロテクタの内部にワイヤハーネスを挿通している。例えば、特許文献１に示されるプロテクタは、ワイヤハーネスを固定するための略Ｌ字状の固定部を備えている。固定部は、互いに交差する第１平面と第２平面を備え、該第１平面と第２平面との間にワイヤハーネスを配置した状態で、バンドや粘着テープなどでワイヤハーネスを固定部に対して固定するようになっている。また、上記特許文献１のプロテクタでは、固定部の第１平面に、ワイヤハーネスの長手方向への位置ずれ防止のための、ワイヤハーネスの長手方向に並ぶ複数の凸部（特許文献１中、ズレ防止用リブ２２ｇ）を設けている。
【先行技術文献】
【特許文献】
【０００３】
【特許文献１】特開２００９−６５７９８号公報
【発明の概要】
【発明が解決しようとする課題】
【０００４】
上記特許文献１のプロテクタにおいて、ワイヤハーネスの外装材としてコルゲートチューブを設けた場合であっても、固定部の凸部によってコルゲートチューブの長手方向の位置ずれを防止することが可能である。そして、各凸部によってコルゲートチューブの長手方向への位置ずれを効果的に防止するためには、各凸部をコルゲートチューブの外周の凹部に嵌り込ませて、コルゲートチューブの長手方向に係止させることが望ましい。
【０００５】
しかしながら、コルゲートチューブには径の異なる様々の種類があり、一般に、径の大きなコルゲートチューブでは、外周の凹凸の長手方向寸法も大きくなる。このため、コルゲートチューブのサイズによっては、長手方向に並ぶ各凸部が外周の凹部に嵌らず、コルゲートチューブの長手方向への位置ずれを効果的に防止できないおそれがあった。
【０００６】
本発明は、上記課題を解決するためになされたものであって、その目的は、径の異なる種々のコルゲートチューブに対して、長手方向への位置ずれを効果的に防止できるワイヤハーネス用プロテクタ及びワイヤハーネスを提供することにある。
【課題を解決するための手段】
【０００７】
上記課題を解決するワイヤハーネス用プロテクタは、コルゲートチューブが固定される固定部を備え、前記固定部は、前記コルゲートチューブの径方向と直交する第１平面と、前記第１平面と交わり、前記コルゲートチューブの径方向と直交する第２平面とを有し、前記第２平面が前記コルゲートチューブと接する状態で、前記第１平面と前記第２平面との間に前記コルゲートチューブが固定されるワイヤハーネス用プロテクタであって、前記第１平面に対して前記コルゲートチューブの長手方向に沿って並設され、前記コルゲートチューブの外周面の凹部に嵌り込む一対の第１凸部と、前記第１平面に対して前記コルゲートチューブの長手方向に沿って並設され、前記コルゲートチューブの外周面の凹部に嵌り込む一対の第２凸部とを備え、前記一対の第２凸部は、前記一対の第１凸部よりも前記第２平面に対して離れて設けられ、前記一対の第２凸部同士の間隔は、前記一対の第１凸部同士の間隔よりも大きく設定されている。
【０００８】
この構成によれば、小径のコルゲートチューブに対しては、一対の第１凸部をチューブ外周の凹部に嵌め込んで、長手方向への位置ずれを効果的に防止でき、大径のコルゲートチューブに対しては、一対の第２凸部をチューブ外周の凹部に嵌め込んで、長手方向への位置ずれを効果的に防止できる。
【０００９】
上記課題を解決するワイヤハーネスは、上記記載のワイヤハーネス用プロテクタを備える。
この構成によれば、径の異なる種々のコルゲートチューブに対する長手方向への位置ずれが効果的に防止されたワイヤハーネスを提供できる。
【発明の効果】
【００１０】
本発明のワイヤハーネス用プロテクタ及びワイヤハーネスによれば、径の異なる種々のコルゲートチューブに対して、長手方向への位置ずれを効果的に防止できる。
【図面の簡単な説明】
【００１１】
【図１】実施形態のワイヤハーネスの分解斜視図。
【図２】（ａ）（ｂ）小径のコルゲートチューブを配置した状態のプロテクタを示す模式図。
【図３】（ａ）（ｂ）大径のコルゲートチューブを配置した状態のプロテクタを示す模式図。
【図４】変形例のプロテクタ（固定部）を示す斜視図。
【図５】変形例のプロテクタ（固定部）を示す斜視図。
【発明を実施するための形態】
【００１２】
以下、ワイヤハーネス用プロテクタ及びワイヤハーネスの一実施形態について、図１〜図３に従って説明する。なお、図面では、説明の便宜上、構成の一部を誇張又は簡略化して示す場合がある。また、各部分の寸法比率についても、実際と異なる場合がある。
【００１３】
図１に示すワイヤハーネス１０は、例えば車載機器の電気的接続を図るための車載用ワイヤハーネスである。ワイヤハーネス１０は、複数の電線１１と、該複数の電線１１を一括して覆うコルゲートチューブ１２と、コルゲートチューブ１２が固定されるプロテクタ１３とを備えている。コルゲートチューブ１２の外周面は、周方向に延びる環状の凹部１２ａと凸部１２ｂが長さ方向に交互に形成された蛇腹形状をなしている。プロテクタ１３は、コルゲートチューブ１２（電線１１）の配索ラインを規制するとともに、コルゲートチューブ１２（電線１１）の一部を保護するためのものであり、車体に支持されるようになっている。なお、図面では、プロテクタ１３の一部（固定部１４）のみを図示している。
【００１４】
プロテクタ１３は、コルゲートチューブ１２が固定される固定部１４を備えている。固定部１４は、第１平面１５を有する第１壁部１６と、第１平面１５に対して直角をなす第２平面１７を有する第２壁部１８とを備えている。コルゲートチューブ１２は、第２平面１７と接するように、第１平面１５と第２平面１７との間に配置される（図２（ｂ）参照）。また、その状態で、コルゲートチューブ１２と固定部１４とは、図示しないバンドや粘着テープなどによって一括りに固定される。つまり、コルゲートチューブ１２は、バンドや粘着テープなどによって、固定部１４の第１及び第２平面１５，１７に押し付けられる態様で固定される。また、固定部１４にコルゲートチューブ１２が固定された状態において、第１平面１５及び第２平面１７は、コルゲートチューブ１２の径方向に対して直交している。
【００１５】
固定部１４の第１平面１５には、一対の第１凸部２１ａ，２１ｂ及び一対の第２凸部２２ａ，２２ｂが形成されている。一対の第１凸部２１ａ，２１ｂは、コルゲートチューブ１２の長手方向に沿って並設されている。同様に、一対の第２凸部２２ａ，２２ｂは、コルゲートチューブ１２の長手方向に沿って並設されている。本実施形態では、第１凸部２１ａと第２凸部２２ａとは、コルゲートチューブ１２の長手方向において同位置に設けられるとともに、固定部１４の幅方向（第２平面１７に対する直交方向）に連続した１つの凸部として形成されている。
【００１６】
一対の第１凸部２１ａ，２１ｂは、第２平面１７に隣接されている。一方、一対の第２凸部２２ａ，２２ｂは、一対の第１凸部２１ａ，２１ｂよりも第２平面１７に対して離れて設けられている。また、一対の第２凸部２２ａ，２２ｂ同士の間隔Ｄ２は、一対の第１凸部２１ａ，２１ｂ同士の間隔Ｄ１よりも大きく設定されている。
【００１７】
次に、本実施形態の作用について、図２（ａ）（ｂ）及び図３（ａ）（ｂ）に従って説明する。図２（ａ）（ｂ）は、固定部１４に小径のコルゲートチューブ１２ｘが固定された状態を示し、図３（ａ）（ｂ）は、前記コルゲートチューブ１２ｘよりも大径のコルゲートチューブ１２ｙが固定部１４に固定された状態を示している。なお、大径のコルゲートチューブ１２ｙにおける各凸部１２ｂの長手方向の間隔寸法Ｌｙは、小径のコルゲートチューブ１２ｘにおける各凸部１２ｂの長手方向の間隔寸法Ｌｘよりも大きく構成されている。
【００１８】
図２（ａ）に示すように、小径のコルゲートチューブ１２ｘが第２平面１７と当接する状態で、第１平面１５に設けられた各第１凸部２１ａ，２１ｂは、コルゲートチューブ１２ｘの外周面の凹部１２ａに嵌り込む。これにより、各第１凸部２１ａ，２１ｂが、コルゲートチューブ１２ｘの凸部１２ｂに対して長手方向に係止されるため、コルゲートチューブ１２ｘの長手方向への位置ずれが防止されるようになっている。また、各第１凸部２１ａ，２１ｂは、凹部１２ａの最奥部に当接している。また、この状態において、図２（ｂ）に示すように、第２凸部２２ｂは、コルゲートチューブ１２ｘと干渉（接触）しないように構成されている。
【００１９】
一方、図３（ａ）に示すように、大径のコルゲートチューブ１２ｙが第２平面１７と当接する状態で、第１平面１５に設けられた各第２凸部２２ａ，２２ｂは、コルゲートチューブ１２ｙの外周面の凹部１２ａに嵌り込む。これにより、各第２凸部２２ａ，２２ｂが、コルゲートチューブ１２ｙの凸部１２ｂに対して長手方向に係止されるため、コルゲートチューブ１２ｙの長手方向への位置ずれが防止されるようになっている。また、各第２凸部２２ａ，２２ｂは、凹部１２ａの最奥部に当接している。また、この状態において、図３（ｂ）に示すように、第１凸部２１ｂは、コルゲートチューブ１２ｙと干渉（接触）しないように構成されている。
【００２０】
次に、本実施形態の効果を記載する。
（１）固定部１４の第１平面１５には、一対の第１凸部２１ａ，２１ｂ及び一対の第２凸部２２ａ，２２ｂが設けられ、一対の第１凸部２１ａ，２１ｂ及び一対の第２凸部２２ａ，２２ｂの各々は、コルゲートチューブ１２の長手方向に並んでいる。そして、一対の第２凸部２２ａ，２２ｂは、一対の第１凸部２１ａ，２１ｂよりも第２平面１７に対して離れて設けられ、一対の第２凸部２２ａ，２２ｂ同士の間隔Ｄ２は、一対の第１凸部２１ａ，２１ｂ同士の間隔Ｄ１よりも大きく設定されている。この構成によれば、小径のコルゲートチューブ１２ｘに対しては、各第１凸部２１ａ，２１ｂをチューブ外周の凹部１２ａに嵌め込んで、長手方向への位置ずれを効果的に防止でき、大径のコルゲートチューブ１２ｙに対しては、各第２凸部２２ａ，２２ｂをチューブ外周の凹部１２ａに嵌め込んで、長手方向への位置ずれを効果的に防止できる。
【００２１】
なお、上記実施形態は、以下のように変更してもよい。
・上記実施形態では、第１凸部２１ａと第２凸部２２ａとが、固定部１４の幅方向に連続した１つの凸部として形成されたが、これに限らず、例えば図４に示すように、第１凸部２１ａと第２凸部２２ａとをそれぞれ単独の凸部として構成してもよい。
【００２２】
・上記実施形態では、第１凸部２１ａと第２凸部２２ａとがコルゲートチューブ１２の長手方向において同位置に設けられたが、これに限らず、第１凸部２１ａと第２凸部２２ａとをコルゲートチューブ１２の長手方向において互いに異なる位置に設けてもよい。
【００２３】
・上記実施形態では、第１凸部２１ａ，２１ｂ及び第２凸部２２ａ，２２ｂはそれぞれ一対設けられたが、これに特に限定されるものではなく、コルゲートチューブ１２の長手方向において等間隔にそれぞれ３つ以上設けてもよい。
【００２４】
・上記実施形態では、径の異なる２種のコルゲートチューブ１２（コルゲートチューブ１２ｘ，１２ｙ）にそれぞれ対応させるべく、一対の第１凸部２１ａ，２１ｂの組と、一対の第２凸部２２ａ，２２ｂの組とを備えたが、径の異なる３種以上のコルゲートチューブ１２に対応可能となるように、長手方向に並設される凸部の組を追加してもよい。この場合、例えば図５に示すように、第２凸部２２ａ，２２ｂよりも第２平面１７から離間する位置において、第２凸部２２ａ，２２ｂ間の間隔Ｄ２よりも広い間隔Ｄ３を持って配置された一対の第３凸部２３ａ，２３ｂを設けた構成が考えられる。
【００２５】
・上記実施形態の固定部１４では、第１平面１５及び第２平面１７が直角をなすように構成されたが、第１平面１５及び第２平面１７がなす角を鋭角又は鈍角としてもよい。
・上記した実施形態並びに各変形例は適宜組み合わせてもよい。
【符号の説明】
【００２６】
１０…ワイヤハーネス
１２（１２ｘ，１２ｙ）…コルゲートチューブ
１２ａ…凹部
１３…プロテクタ
１４…固定部
１５…第１平面
１７…第２平面
２１ａ，２１ｂ…第１凸部
２２ａ，２２ｂ…第２凸部
【図１】
2018098908.tif 000003
【図２】
2018098908.tif 000004
【図３】
2018098908.tif 000005
【図４】
2018098908.tif 000006
【図５】
2018098908.tif 000007